(57)【要約】【課題】マトリックスとなる木質繊維板から放散される臭気を長期間継続して低減或いは抑制できることに止まらず、木質繊維板に付与する機能性材料の効果を長期間効率的に発揮させることが可能な床材を提供する。【解決手段】木質繊維板(１２)からなる床材であって、その木質繊維板の少なくとも上表面側に、消臭剤，芳香剤，精油，香料，防虫剤及び抗菌剤からなる群より選ばれる少なくとも１つの機能性材料を芯物質として内包したマイクロカプセル(１４)が配設されている。【選択図】図１
2017064998.tif 000002
【特許請求の範囲】
【請求項１】
木質繊維板(１２)からなる床材であって、
その木質繊維板の少なくとも上表面側に、消臭剤，芳香剤，精油，香料，防虫剤及び抗菌剤からなる群より選ばれる少なくとも１つの機能性材料を芯物質として内包したマイクロカプセル(１４)が配設されている、ことを特徴とする床材。
【請求項２】
請求項１の床材において、
レーザー回折・散乱法にて測定した前記マイクロカプセル(１４)の平均粒径が５０μｍ以上で且つ５００μｍ以下である、ことを特徴とする床材。
【請求項３】
請求項１又は２の床材において、
前記木質繊維板(１２)の表面を、通気性を有する表装材(１８)で被覆した、ことを特徴とする床材。
【発明の詳細な説明】
【技術分野】
【０００１】
本発明は、屋内に敷設される床材の改良に関する。
【背景技術】
【０００２】
例えば、畳における畳床のように床材のマトリックスとして使用されるインシュレーションボードは、木質繊維板であって、一般的に湿式抄造法で作られる。具体的には、木質繊維，バインダー，薬剤等を多量の水に分散させ、金網で抄き上げて得られた湿潤マットを乾燥して製造される。
【０００３】
ここで、上述のような木質繊維板の製造工程では系内の水が循環使用されているため、その系内の水に木質繊維からの溶出物や製品に定着しなかった薬剤等が蓄積するようになる。そして、系内の水を長時間循環させると、係る薬剤等の蓄積や蓄積した薬剤等の腐敗・発酵などにより独特の臭気が生じ、抄造した木質繊維板にその臭気が残留するようになる。人によって感じ方の度合いに差は有るものの、一般的に係る臭気は快い匂いではない。このため、当該臭気が顕著な場合には、木質繊維板を畳床として施工した後に苦情やクレームが発生することがある。
【０００４】
なお、従来は、畳表として独特の強い芳香を持つイ草が使用されていたため、畳床となる木質繊維板の臭いが目立つことはほとんどなかったが、畳表として紙に撚りをかけた無臭の筒状抄繊糸が多用されて以降、係る問題が顕在化してきた。
そこで、上述のような臭気への対策として、下記の特許文献１（日本国・特開２００５−１９９５５３号公報）には、木質繊維板に消臭剤や香料を塗布し、木質繊維板からの臭気を低減或いは抑制する技術が開示されている。
【先行技術文献】
【特許文献】
【０００５】
【特許文献１】特開２００５−１９９５５３号公報
【発明の概要】
【発明が解決しようとする課題】
【０００６】
上記従来技術のように、臭気対策として木質繊維板に消臭剤や香料等をダイレクトに塗布した場合、塗布直後から高い臭気低減或いは抑制効果を発揮し、係る効果は漸減しながら所定の期間継続する。したがって、製造後に販売店で長期在庫された後、施工された場合は効果を発揮することができない。
そのような中、床材として使用する木質繊維板の臭気の低減或いは抑制が可能な期間を更に延ばしたいと言ったニーズが出てきているが、木質繊維板に消臭剤や香料等をダイレクトに塗布する方法では、そのような期間を延ばすためには、塗布する消臭剤や香料等の量を増やさなければならない。そうすると、特に香料を用いた場合には、塗布直後からかなり強い芳香が発せられるようになり、臭気の低減或いは抑制効果は高いものの、意図しない香料の芳香によって新たな不快感を与えてしまうと言った問題やコストアップが生じ得る。
【０００７】
それゆえに、本発明の主たる課題は、床材のマトリックスとなる木質繊維板から放散される臭気を長期間継続して低減或いは抑制することが可能な床材を提供することである。更に、臭気の低減或いは抑制に止まらず、木質繊維板に付与する機能性材料の効果を長期間効率的に発揮させることが可能な床材を提供することである。
【課題を解決するための手段】
【０００８】
上記の課題を達成するため、本発明は、例えば、図１に示すように、木質繊維板１２からなる床材１０を次のように構成した。
すなわち、木質繊維板１２の少なくとも上表面側に、消臭剤，芳香剤，精油，香料，防虫剤及び抗菌剤からなる群より選ばれる少なくとも１つの機能性材料を芯物質として内包したマイクロカプセル１４が配設される。
【０００９】
本発明は、次の作用を奏する。
消臭剤，芳香剤，精油，香料，防虫剤及び抗菌剤からなる群より選ばれる少なくとも１つの機能性材料を芯物質としてマイクロカプセル１４に内包させているので、このマイクロカプセル１４を木質繊維板１２に配設させた直後ではなく、木質繊維板１２からなる床材１０を床材として施工し、床材の上を歩いた直後から上記の機能性材料を徐放させることができる。したがって、製造後長期に亘り倉庫で在庫しても機能性材料は放出されず、施工後に人が歩いてマイクロカプセル１４が破裂した直後から効果を発揮し、マイクロカプセル１４が破裂されずに存在する限り、効果は継続する。加えて、このマイクロカプセル１４を木質繊維板１２の少なくとも上表面側に配設しているので、床材１０を使用する際に木質繊維板１２から徐放される機能性材料の利用効率を極大化させることができる。
【００１０】
本発明においては、レーザー回折・散乱法にて測定した上記マイクロカプセル１４の平均粒径を５０μｍ以上で且つ５００μｍ以下とするのが好ましい。上記マイクロカプセル１４の平均粒径が５０μｍ未満の場合には、相対的に膜厚が大きくなるため、床材１０の上を人が歩いて踏んだ際などに発生する圧縮応力でマイクロカプセル１４を破裂させるのが困難になり、逆に、マイクロカプセル１４の平均粒径が５００μｍを超える場合には、上記の圧縮応力で簡単に破裂させて内部の機能性材料を徐放させることができるようになるが、バインダーを用いずにマイクロカプセル１４を木質繊維板１２の上表面側に配設する場合、床材１０を施工現場へ運搬する際などに、当該マイクロカプセル１４が木質繊維板１２の上表面側から容易に脱落して歩留りが悪くなるからである。
【００１１】
また、第２の発明に係る床材１０は、上記発明に加え、前記木質繊維板１２の表面を、通気性を有する表装材１８で被覆したことを特徴とするものである。とりわけ、表装材１８を畳表とし、木質繊維板１２を畳床とする、つまり、床材１０を畳とするのが好適である。
【００１２】
なお、本発明は、後述する実施形態に記載された特有の構成を付加することが好ましい。
【発明の効果】
【００１３】
本発明によれば、床材のマトリックスとなる木質繊維板から放散される臭気を長期間継続して低減或いは抑制できることに止まらず、木質繊維板に付与する機能性材料の効果を長期間効率的に発揮させることが可能な床材を提供することができる。
【図面の簡単な説明】
【００１４】
【図１】本発明の一実施形態の床材を示す模式図である。
【発明を実施するための形態】
【００１５】
以下、本発明の一実施形態を図面を用いて説明する。図１は、本発明の床材１０の一例を示す模式図である。この図が示すように、本発明の床材１０は、木質繊維板１２を有する。
なお、本実施形態(図示実施形態)では、床材１０を畳として構成している場合を示している。
【００１６】
木質繊維板１２は、床材１０のマトリックスとなるもので、木材チップを蒸煮・解繊して得た木質繊維をマット状に成形して固めた板材で、具体的には、インシュレーションボード，中密度繊維板(ＭＤＦ)及びハードボードなどを挙げることができる。このうち、インシュレーションボード及びハードボードは、木質繊維のマットを形成する際に水を媒体とする湿式法で製造され、中密度繊維板は、木質繊維のマットを形成する際に気流を用いる乾式法で製造されるのが一般的である。
なお、図示実施形態のように、床材１０を畳とする場合には、畳床となる木質繊維板１２として、相対的に密度が低くクッション性の高いインシュレーションボードを用いるのが特に好適である。
そして、この木質繊維板１２の少なくとも上表面側には、マイクロカプセル１４が配設されている。
【００１７】
マイクロカプセル１４は、木質繊維板１２に、消臭剤，芳香剤，精油，香料，防虫剤及び抗菌剤からなる群より選ばれる少なくとも１つの機能性材料を付与するためのもので、これらの機能性材料を芯物質とし、この芯物質をゼラチン，尿素樹脂，メラミン樹脂，ウレタン樹脂及びポリウレア樹脂などからなる壁材(被膜物質)で包み込んだ完全閉口型の樹脂カプセルである。
このマイクロカプセル１４の大きさは、レーザー回折・散乱法にて測定した平均粒径が５０μｍ〜５００μｍの範囲内であるの好ましく、より好ましくは、１００μｍ〜４００μｍの範囲内である。マイクロカプセル１４の平均粒径が５０μｍ未満の場合には、相対的に膜厚が大きくなるため、床材１０の上を人が歩いて踏んだ際などに発生する圧縮応力でマイクロカプセル１４を破裂させるのが困難になり、逆に、マイクロカプセル１４の平均粒径が５００μｍを超える場合には、バインダーを用いずにマイクロカプセル１４を木質繊維板１２の上表面側に配設する場合、床材１０を施工現場へ運搬する際などに当該マイクロカプセル１４が木質繊維板１２の上表面側から容易に脱落して歩留りが悪くなるからである。
このマイクロカプセル１４の芯物質となる機能性材料、すなわち、消臭剤，芳香剤，精油，香料，防虫剤及び抗菌剤からなる群より選ばれる少なくとも１つは、天然のものであってもよいし、化学合成したものであってもよい。
【００１８】
木質繊維板１２に対するマイクロカプセル１４の塗布量は、特に限定されるものではなく、芯物質となる機能性材料の種類や塗布される木質繊維板１２の種類に応じて適宜設定される。また、木質繊維板１２の上表面側にマイクロカプセル１４を配設する方法としては、先ず始めに水などの分散媒に所定の濃度でマイクロカプセル１４を分散させた分散液を準備し、この分散液をスプレー，刷毛又はロールコーターと言った公知の方法で木質繊維板１２の上表面側に塗布する。すると、木質繊維板１２を構成する木質繊維の毛細管現象によって分散媒が木質繊維板１２の内部へと浸透し、それに伴ってマイクロカプセル１４も(分散媒と共に)移動して、木質繊維同士の交絡によって形成された隙間へと入り込むようになる。その後、乾燥等で分散媒を除去することによって、木質繊維板１２の上表面側へのマイクロカプセル１４の配設が完了する。なお、上述の例では、機能性材料の分散液として分散媒に機能性材料のみを分散させたものを示したが、必要に応じてバインダーなどの他の薬品を配合するようにしてもよい。
【００１９】
本発明の床材１０をフローリング仕上の下地材等として使用する場合には、上述のように木質繊維板１２の上表面側にマイクロカプセル１４を配設すれば床材１０の完成となる。しかしながら、本実施形態の床材１０は「畳」であるため、マイクロカプセル１４が配設された木質繊維板１２の上表面側に、クッション材１６及び畳表１８Ａがこの順で載置される。
【００２０】
クッション材１６は、床材１０である畳に更なるクッション性を付与すると共に、畳床の上表面を保護するため、必要に応じて配設されるシート状の部材である。このクッション材１６として、バルキー且つ柔軟で通気性を有するニードルパンチ不織布やサーマルボンド不織布などの不織布が好適に用いられる。
【００２１】
畳表１８Ａは、「通気性を有する表装材１８」の代表的なもので、イ草や紙を撚った筒状抄繊糸を編織して得られる、畳の表装となるシート状の部材である。図示実施形態では、この畳表１８Ａの外縁が、木質繊維板１２の側面へ沿うように折り曲げられ、且つ、その先端が木質繊維板１２の下表面にてステープラーなどの固定具で固定される。
なお、図示実施形態では、上記の状態で畳を完成させているが、畳の外縁部に畳縁を取り付けるようにしてもよいし、畳床となる木質繊維板１２の下表面側に防滑シートなどを貼着してもよい。
また、図示実施形態では、木質繊維板１２一層で畳床が形成される場合を示しているが、木質繊維板１２を複数積層するようにしてもよいし、その複数層の木質繊維板１２の間にポリスチレンフォームなどの異種板材を積層するようにしてもよい。これらの場合、少なくとも最上層の木質繊維板１２の上表面側にマイクロカプセル１４が配設されていれば足りる。
【００２２】
さらに、図示実施形態では、木質繊維板１２の側面から下表面に亘って、畳表１８Ａ以外にそれらを被覆するものはないが、木質繊維板１２の側面から下表面に亘る全体を金属箔や樹脂フィルムなどの不透気性或いは難透気性のシート（図示せず）で被覆するようにしてもよい。そうすることで、マイクロカプセル１４が破裂して放出される機能性材料が木質繊維板１２の側面や下面側から流出するのを低減させることができる。なお、木質繊維板１２の側面から下表面に亘る全体において若干の通気性が必要となる場合には、難透気性のシートとしてデュポン社製のタイベック(登録商標)に代表されるフラッシュスパン不織布を用いるのが特に好適である。
【００２３】
本実施形態の床材１０によれば、マイクロカプセル１４が配設された木質繊維板１２の上表面が畳表１８Ａで被覆されているので、床材１０である畳を踏み歩いた際、マイクロカプセル１４が破裂して内部の機能性材料が放出されると、即座に畳表１８Ａへと吸収される。このため、放出された機能性材料が足に付着して汚れるのを防止できると共に、畳表１８Ａを経由することによって機能性材料をより長い期間徐放させることができるようになる。
【００２４】
また、本実施形態の床材１０によれば、床材１０のマトリックスとなる木質繊維板１２から放散される臭気を長期間継続して低減或いは抑制できることに止まらず、木質繊維板１２に付与する機能性材料の効果を長期間効率的に発揮させることができるが、発明者等は、以下の実験によってその効果を確認した。
【００２５】
［実験方法］
ヒノキから抽出した精油を芯物質とし、壁材として尿素系樹脂を使用した、平均粒径(レーザー回折・散乱法)３００μｍのマイクロカプセルを準備し、このマイクロカプセルを固形分４０重量％となるように水分散させて分散液を得た。この分散液をインシュレーションボードの表面に塗布量が１５ｇ／ｍ2となるようスプレーで塗布した後、室温で風乾させた。
分散液が乾燥してマイクロカプセルがその上表面側に配設されたインシュレーションボードの上表面に、クッション材として目付１５０ｇ／ｍ2のポリエステル・サーマルボンド不織布を載置すると共に、インシュレーションボードの側面から下表面に亘る全体を厚さ２５μｍのアルミ箔で二重に被覆した。
そして、インシュレーションボードの上表面に、筒状抄繊糸を編織して形成された大建工業（株）製の畳表（品番：清流０１銀白色）を載置し、その畳表の端部をインシュレーションボードの下表面側に巻き込み、ステープル止めして、実験用の畳を完成させた。
【００２６】
この畳の１５ｃｍ四方の所定部分について、畳表の上から軽く叩くことでヒノキの芳香が発散されることを確認した後、解放空間で放置したところ、約１週間は明確なヒノキの芳香が維持され、インシュレーションボードからの臭気がマスキングされていた。
また、上記状態で、ヒノキの芳香が微弱となる１カ月毎に、約５００回の足踏み圧縮を加えたところ、芳香の強さは毎回回復し、３カ月を超えても圧縮を加えればヒノキの芳香が漂ってくる。つまり、依然としてインシュレーションボードに付与した機能性材料の効果を発揮させることができる点を確認できた。
【００２７】
一方、ヒノキから抽出した精油を、マイクロカプセルに封入しないでインシュレーションボードの表面に直接塗布し、それ以外は同様に作製した実験用の畳では、１週間以内にヒノキの芳香が焼失した後、足踏み圧縮を行っても芳香が回復することはなかった。
【符号の説明】
【００２８】
１０…床材
１２…木質繊維板
１４…マイクロカプセル
１６…クッション材
１８…通気性を有する表装材
１８Ａ…畳表
【図１】
2017064998.tif 000003